(57)【要約】      （修正有）【課題】建築物等の壁面などに容易に取り付けられると共に、強度性に優れ、壁面等に固定された後、経時的に分断して落下するおそれがないタイルを提供する。【解決手段】タイル１は、裏面２において幅方向に延在した係止材挿入用凹条部４を有するタイルであって、係止材挿入用凹条部４は幅方向の両端部５，６付近の双方には形成されていない。このように、裏面２に設けられ幅方向に延在した係止材挿入用凹条部４が、幅方向の両端部５，６付近の双方には形成されず、両端部５，６付近の少なくとも一方でタイルの肉厚のままであるため、強度性に優れ、壁面等に固定された後、係止材挿入用凹条部４に沿って経時的に分断して落下するおそれがない。【選択図】図１
0003152539.tif 000002
【実用新案登録請求の範囲】
【請求項１】
裏面において幅方向に延在した係止材挿入用凹条部を有するタイルであって、該係止材挿入用凹条部は、幅方向の両端部付近の双方には形成されていないことを特徴とするタイル。
【請求項２】
前記係止材挿入用凹条部は、裏面側から表面側に向かって斜め方向に形成されている請求項１に記載のタイル。
【請求項３】
前記係止材挿入用凹条部は、幅方向の両端部付近を除いて形成されている請求項１または２に記載のタイル。
【請求項４】
前記係止材挿入用凹条部は、幅方向の一端部付近を除いて形成されている請求項１または２に記載のタイル。
【請求項５】
前記係止材挿入用凹条部は、幅方向に複数行離間して形成されている請求項１ないし４のいずれかに記載のタイル。
【請求項６】
前記係止材挿入用凹条部は、一行が幅方向の一端部付近を除いて形成され、他行が幅方向の他端部付近を除いて形成されている請求項５に記載のタイル。
【請求項７】
前記係止材挿入用凹条部は、幅方向の同一行に複数離間して形成されている請求項１ないし６のいずれかに記載のタイル。
【考案の詳細な説明】
【技術分野】
【０００１】
本考案は、建築物等の壁面などへの乾式工法またはＰＣ板などの先付け工法に使用して好適なタイルに関するものである。
【背景技術】
【０００２】
近年、タイル施工技術者の減少、工期短縮またはコスト低減などの要請から、タイルの施工方法として乾式工法やＰＣ板などの先付け工法が一般化している。
これらの工法において下地材にタイルを金具などで固定することが行われており、例えばそのようなものとして、実開平−２１０２５号公報のタイル張り壁構造などが提案されている。
【０００３】
このタイル張り壁構造では、図１１に示すように、タイル５１の裏面に裏面側から表面側に向かって斜め上方に傾斜したピン差込凹部５２が穿設されており、このピン差込凹部５２内に下地材５０から斜め上方に突出したピン５３が差し込まれてタイル５１が下地材５０に固定されている。
【０００４】
しかし、このタイル張り壁構造において、下地材５０に固定されるタイル５１は、ピン差込凹部５２が幅方向に横断して穿設されているため強度的に問題があり、下地材５０に固定された後、経時的にピン差込凹部５２に沿って分断し落下するおそれがあった。このような幅方向に横断したピン差込凹部の形成は、主として穿孔技術上容易であることから採用されているが、特に幅方向の両端部付近が共に穿孔されてピン差込凹部５２が形成されているとタイルの強度が著しく低下する。
【特許文献１】実開平−２１０２５号公報
【考案の開示】
【考案が解決しようとする課題】
【０００５】
そこで、本考案の課題は、建築物等の壁面などに容易に取り付けられると共に、強度性に優れ、壁面等に固定された後、経時的に分断して落下するおそれがないタイルを提供することにある。
【課題を解決するための手段】
【０００６】
上記課題を解決するものは、裏面において幅方向に延在した係止材挿入用凹条部を有するタイルであって、該係止材挿入用凹条部は、幅方向の両端部付近の双方には形成されていないことを特徴とするタイルである。
【０００７】
前記係止材挿入用凹条部は、裏面側から表面側に向かって斜め方向に形成されていることが好ましい。前記係止材挿入用凹条部は、幅方向の両端部付近を除いて形成されていることが好ましい。前記係止材挿入用凹条部は、幅方向の一端部付近を除いて形成されていてもよい。前記係止材挿入用凹条部は、幅方向に複数行離間して形成されていてもよい。前記係止材挿入用凹条部は、幅方向に複数行離間して形成されており、一行が幅方向の一端部付近を除いて形成され、他行が幅方向の他端部付近を除いて形成されていてもよい。前記係止材挿入用凹条部は、幅方向の同一行に複数離間して形成されていてもよい。
【考案の効果】
【０００８】
請求項１ないし７に記載した考案によれば、建築物等の壁面などに容易に取り付けられると共に、強度性に優れ、壁面等に固定された後、係止材挿入用凹条部に沿って経時的に分断して落下するおそれがない。
【図面の簡単な説明】
【０００９】
【図１】本考案のタイルの一実施例の裏面側正面図である。
【図２】図１のＡ―Ａ線断面図である。
【図３】本考案のタイルの他の実施例の裏面側正面図である。
【図４】図３のＢ―Ｂ線断面図である。
【図５】本考案のタイルの他の実施例の裏面側正面図である。
【図６】図５のＣ―Ｃ線断面図である。
【図７】本考案のタイルの他の実施例の裏面側正面図である。
【図８】図７のＤ―Ｄ線断面図である。
【図９】本考案のタイルの他の実施例の裏面側正面図である。
【図１０】本考案のタイルを壁面の下地材に張り付けた状態を示す部分拡大縦断面図である。
【図１１】従来のタイルを説明するための部分斜視図である。
【考案を実施するための形態】
【００１０】
本考案は、裏面に設けられ幅方向に延在した係止材挿入用凹条部が、幅方向の両端部付近の双方には形成されず、両端部付近の少なくとも一方でタイルの肉厚のままであるため、強度性に優れ、壁面等に固定された後、係止材挿入用凹条部に沿って経時的に分断して落下するおそれがないタイルを実現した。
【実施例１】
【００１１】
本考案のタイルを図１または図２に示した一実施例を用いて説明する。
この実施例のタイル１は、裏面２において幅方向に延在し、かつ裏面２側から表面３側に向かって斜め方向に形成された係止材挿入用凹条部４を有するタイルであって、係止材挿入用凹条部４は幅方向の両端部付近の双方には形成されていないことを特徴とするタイルである。以下、各構成について順次詳述する。
【００１２】
この実施例のタイル１は陶磁質タイルであるが、これに限定されるものではなく壁面等の下地材に張設されるものであればどのような材質のものでもよく、例えば石材タイルなどであってもよい。また、この実施例のタイル１は矩形のタイルであるが、これに限定されるものではなく、例えば円形、楕円形、菱形などの形態を有するタイルであってもよい。
【００１３】
タイル１の裏面２には、図１に示すように、幅方向に延在するように穿設された係止材挿入用凹条部４が形成されている。この係止材挿入用凹条部４は、タイル１を壁面等の下地材に張設する際に金具等の係止材を挿入するための部位であり、この実施例では、幅方向に延在すると共に、図２に示すように、裏面２側から表面３側に斜め上方に向かって穿孔された凹条溝にて形成されている。なお、この実施例の係止材挿入用凹条部４は、裏面２側から表面３側に向かって斜め方向に穿孔されているが、裏面２側から表面３側に向かい、真っ直ぐ（裏面に直交する方向）に穿孔されたものも本考案の範疇に包含される。ただ、係止材挿入用凹条部は斜め方向に穿孔されている方が壁面における被保持力が大きく好ましい。
【００１４】
そして、係止材挿入用凹条部４は、少なくとも幅方向の両端部５，６間に渡って形成されておらず、幅方向の両端部５，６付近の双方には形成されていない。より具体的には、この実施例の係止材挿入用凹条部４は、幅方向の両端部５，６付近を除いて形成されている。このように、両端部５，６付近にはそれぞれ溝が形成されておらずタイル１の肉厚のままであるため、強度が増して係止材挿入用凹条部４に沿って分断してしまうことがなく、壁面等に張設されてもタイル１か落下することがない。また、幅方向の両端部付近の両方に溝が形成されていないと、接着材を係止材挿入用凹条部４内に充填しても両側から液漏れすることがなく両端のテーピングが不要となる。
【００１５】
なお、本願において、「タイルの幅方向」とは、壁面等に張設される際、略水平方向に配される方向を意味する。従って、また、「幅方向の両端部付近の双方には形成されていない」とは、文字通り両端部付近の両方に形成されていないことの他、両端部付近のいずれか一方に形成されていないことを含む概念である。
【００１６】
つぎに、本考案のタイル１の使用例について図１０を用いて説明する。
図１０において７は壁面を構成する木質系下地材であり、この木質系下地材７にタイル１を張設する場合は、縦断面略Ｚ型を有する係止材８を用いて行う。具体的には、まず、係止材８の上部にて鋭角に屈曲した上端辺部を木質系下地材７内に打ち込む。つぎに、係止材挿入用凹条部４内に例えばエポキシ樹脂などの接着材を充填し、また木質系下地材８の表面に接着材９を塗布する。そして、係止材８の下部から斜め上方に向かって突出する下端辺部をタイル１の係止材挿入用凹条部４内に挿入させることにより、木質系下地材７の表面にタイル１を容易に張設することができる。なお、図１０に示した使用例は木質系下地材にタイル１を張設する際の一実施例であり、例えばコンクリート壁面にタイル１を張設する場合はそれに応じた形態を備えた係止材を用いて行う。その際もタイル１の係止材挿入用凹条部４内に係止材の一部を挿入して張設する点は同様である。
【００１７】
さらに、本考案の他の実施例を順次説明するが、まずは図３または図４に示した本考案のタイル１０について説明する。
この実施例のタイル１０と前述したタイル１との相違は、係止材挿入用凹条部の相違のみであり他の構成は同じである。タイル１と同一構成部分について同一符号を付し説明を省略する。具体的には、この実施例の係止材挿入用凹条部１４は、幅方向の一端部５付近を除いて形成され他端部６側には横断してされている。このように、両端部５，６のうち一方の端部付近のみ溝が形成されていないものも本考案の範疇に包含される。
【００１８】
図５または図６に示した本考案の他の実施例のタイル２０は、係止材挿入用凹条部が幅方向に複数行離間して形成されている。
具体的には、この実施例の係止材挿入用凹条部２４ａ，２４ｂは、タイル１と同様に係止材挿入用凹条部が幅方向の両端部５，６付近を除いて形成されており、かつ２本平行に穿設されている。このように、係止材挿入用凹条部が複数行形成されたものも本考案の範疇に包含される。
【００１９】
図７または図８に示した本考案の他の実施例のタイル３０は、係止材挿入用凹条部が複数行形成されると共に、一行が幅方向の一端部５付近を除いて形成され、他行が幅方向の他端部６付近を除いて形成されている。
具体的には、この実施例の係止材挿入用凹条部３４ａ，３４ｂのうち、係止材挿入用凹条部３４ａは幅方向の一端部付近５を除いて形成されており、係止材挿入用凹条部３４ｂは幅方向の他端部６付近を除いて形成されている。このように、係止材挿入用凹条部が複数行形成され、かつ横断して形成される側が異なるものも本考案の範疇に包含される。また、この実施例の係止材挿入用凹条部３４ａ，３４ｂは、図８に示すように、穿孔される斜め方向の向きが図６に示した係止材挿入用凹条部２４ａ，２４ｂとは異なる。このように、縦断面における係止材挿入用凹条部の斜め方向の向きは、使用される係止材の形態により適宜変更されるものであり、上下どちらの方向に向いて形成されたものも本考案の範疇にすべて包含される。例えば、２本の係止材挿入用凹条部が斜め同一方向に向かって形成されたものも本考案の範疇に包含される。
【００２０】
図９に示した本考案の他の実施例のタイル４０は、係止材挿入用凹条部が幅方向の同一行に複数離間して形成されている。
具体的には、この実施例の係止材挿入用凹条部４４ａ，４４ｂは幅方向の同一行においてタイル４０の中間部位において溝が形成されないことにより離間して形成されている。このように、係止材挿入用凹条部が幅方向の同一行に複数離間して形成されたものも本考案の範疇に包含される。
【符号の説明】
【００２１】
１    タイル
２    裏面
３    表面
４    係止材挿入用凹条部
５    一端部
６    他端部
７    木質系下地材
８    係止材
９    接着材
【図１】
0003152539.tif 000003
【図２】
0003152539.tif 000004
【図３】
0003152539.tif 000005
【図４】
0003152539.tif 000006
【図５】
0003152539.tif 000007
【図６】
0003152539.tif 000008
【図７】
0003152539.tif 000009
【図８】
0003152539.tif 000010
【図９】
0003152539.tif 000011
【図１０】
0003152539.tif 000012
【図１１】
0003152539.tif 000013
【手続補正書】
【提出日】平成21年5月29日(2009.5.29)
【手続補正１】
【補正対象書類名】実用新案登録請求の範囲
【補正対象項目名】請求項１
【補正方法】変更
【補正の内容】
【請求項１】
裏面において幅方向に延在した係止材挿入用凹条部を有するタイルであって、該係止材挿入用凹条部は、幅方向の両端部付近の少なくとも一方には形成されていないことを特徴とするタイル。